(57)【要約】【課題】  中低音域の音圧レベルを増大させたチャンネル信号がスピーカに入力されてスピーカに過度の負担がかかってしまうことのない音響装置を提供する。【解決手段】  一のチャンネル信号Ｓ１の中低音域の位相を他のチャンネル信号Ｓ２の中低音域の位相に対して移相させると共に音圧レベルを増大させるサラウンド信号生成手段２を有する音響装置。チャンネル信号Ｓの送信経路５の途中に、前記サラウンド信号生成手段２とチャンネル信号Ｓの中低音域の音圧レベルを低減させるためのフィルター４とを備えたサラウンド経路５１と、前記サラウンド信号生成手段２及びフィルター３を備えていないバイパス経路５２とを並列に設け、前記サラウンド経路５１とバイパス経路５２とを切り替えるためのスイッチ５３を設けた。【選択図】        図１
2006237901.tif 000002
【特許請求の範囲】
【請求項１】
一のチャンネル信号の中低音域の位相を他のチャンネル信号の中低音域の位相に対して移相させると共に音圧レベルを増大させるサラウンド信号生成手段を有する音響装置において、チャンネル信号の送信経路の途中に、前記サラウンド信号生成手段とチャンネル信号の中低音域の音圧レベルを低減させるためのフィルターとを備えたサラウンド経路と、前記サラウンド信号生成手段及びフィルターを備えていないバイパス経路とを並列に設け、前記サラウンド経路とバイパス経路とを切り替えるためのスイッチを設けて成ることを特徴とする音響装置。
【請求項２】
フィルターによるチャンネル信号の中低音域の音圧レベルの低減率をサラウンド信号生成手段でのチャンネル信号の中低音域の増大率の略逆数に等しくして成ることを特徴とする音響装置。
【発明の詳細な説明】
【技術分野】
【０００１】
本発明は、サラウンド効果を付与する音響装置に関するものである。
【背景技術】
【０００２】
従来より、ステレオ音源においてサラウンド効果を付与する音響装置が用いられている（例えば特許文献１参照）。ステレオ音源は、複数（例えば左右一対）のスピーカにそれぞれ異なるチャンネル信号がステレオの音声信号として入力され、前記各スピーカから異なる音声が出力されることで立体感のある音像が形成されるものである。そして、このような音響装置において、サラウンド信号生成手段によってサラウンド信号をのせたチャンネル信号を生成してサラウンド効果が得られるようにしている。サラウンド信号生成手段は、一のスピーカへ入力されるチャンネル信号の中低音域の位相を他のスピーカへ入力されるチャンネル信号の中低音域の位相に対して移相すると共にその音圧レベルを増大させることでサラウンド信号をのせたチャンネル信号を生成するもので、これによって広がり感等のサラウンド効果が得られるようになる。
【０００３】
しかしながら、このような音響装置においては、一のスピーカへ入力されるチャンネル信号の中低音域の音圧レベルを他のスピーカへ入力されるチャンネル信号の中低音域の音圧レベルよりも大きくしているため、この中低音域の音圧レベルを大きくしたチャンネル信号が入力されるスピーカに過度の負担がかかり、破壊する惧れがあるものであった。
【特許文献１】特開平１０−７０７９９号公報
【発明の開示】
【発明が解決しようとする課題】
【０００４】
本発明は上記従来の問題点に鑑みて発明したものであって、その目的とするところは、中低音域の音圧レベルを増大させたチャンネル信号がスピーカに入力されてスピーカに過度の負担がかかってしまうことのない音響装置を提供することを課題とするものである。
【課題を解決するための手段】
【０００５】
上記課題を解決するために請求項１に係る音響装置にあっては、一のチャンネル信号Ｓ１の中低音域の位相を他のチャンネル信号Ｓ２の中低音域の位相に対して移相させると共に音圧レベルを増大させるサラウンド信号生成手段２を有する音響装置において、チャンネル信号Ｓの送信経路５の途中に、前記サラウンド信号生成手段２とチャンネル信号Ｓの中低音域の音圧レベルを低減させるためのフィルター４とを備えたサラウンド経路５１と、前記サラウンド信号生成手段２及びフィルター３を備えていないバイパス経路５２とを並列に設け、前記サラウンド経路５１とバイパス経路５２とを切り替えるためのスイッチ５３を設けて成ることを特徴とするものである。このような構成とすることで、サラウンド効果を得ようとする場合にスイッチ５３をサラウンド経路５１側に切り替えることで、中低音域の位相が移相されると共に音圧レベルが増大されたチャンネル信号Ｓの中低音域の音圧レベルをフィルター４によって低減することができ、このチャンネル信号Ｓがスピーカ３に入力されてもスピーカ３に過度の負担がかからないものである。
【０００６】
また、請求項２の発明は、請求項１の発明において、フィルター４によるチャンネル信号Ｓの中低音域の音圧レベルの低減率をサラウンド信号生成手段２でのチャンネル信号Ｓの中低音域の増大率の略逆数に等しくして成ることを特徴とするものである。このような構成とすることで、サラウンド効果を付与する場合でもサラウンド効果を付与しない場合と略同様の音圧レベルとなってスピーカ３に過度の負担がかからないものである。
【発明の効果】
【０００７】
本発明にあっては、サラウンド効果を付与する場合にスイッチをサラウンド経路側に切り替えることで、中低音域の位相が移相されると共に音圧レベルが増大されたチャンネル信号の中低音域の音圧レベルをフィルターによって低減することができ、このチャンネル信号がスピーカに入力されてもスピーカに過度の負担がかからず、スピーカが破壊する惧れがないものである。
【発明を実施するための最良の形態】
【０００８】
以下、本発明の実施形態について図面に基づいて説明する。
【０００９】
音響装置は、図１に示すようにステレオ信号からなるチャンネル信号を送信するための音源部１と、音源部１から送信されたチャンネル信号にサラウンド信号をのせるためのサラウンド信号生成手段２と、サラウンド信号生成手段２にてサラウンド信号がのせられたチャンネル信号が入力されて音声を出力するスピーカ３とで主体が構成され、更に本発明においてはチャンネル信号の中低音域の音圧レベルを低減させるための後述するフィルター４と、サラウンド経路５１とバイパス経路５２とを切り替えるスイッチ５３とを設けてある。
【００１０】
音源部１は、ＣＤや磁気テープ等の媒体に記録されている音声情報や電波等の音声情報からスピーカ３に入力する音声信号を生成するためのもので、この音源部１の構成については従来より知られているため説明を省略する。音源部１からの音声信号は最終的にスピーカ３に入力されるのであるが、本実施形態の音源部１はステレオ音源となっていて、複数（例えば左右一対）のスピーカ３にそれぞれ異なるチャンネル信号がステレオ音声信号として入力され、各スピーカ３から異なる音声が出力されて立体感のある音像が形成される。音源部１から各スピーカ３へ送信される音声信号であるチャンネル信号は、各スピーカ３毎の送信経路５を通って各スピーカ３に入力される。図２にスピーカ３に入力される際のチャンネル信号Ｓの音圧レベルの周波数特性（周波数ごとの低減率）を示す。
【００１１】
そして本発明においては、音源部１からスピーカ３への送信経路５の途中に、サラウンド信号生成手段２とフィルター４とを備えたサラウンド経路５１と、サラウンド信号生成手段２とフィルター４とを備えていないバイパス経路５２を並列に設けると共に、前記サラウンド経路５１とバイパス経路５２とを切り替えるスイッチ５３が設けてある。なお、図中の符号５４はアンプを示す。
【００１２】
サラウンド信号生成手段２は、図３に示すように複数のうちの一のスピーカ３へ入力されるチャンネル信号Ｓ１の中低音域の位相を他方のスピーカ３へ入力されるチャンネル信号Ｓ２の中低音域の位相に対して移相すると共にその音圧レベルを増大させることでサラウンド信号をのせたチャンネル信号Ｓを生成するもので、これによってサラウンド効果が付与されるものである。サラウンド信号生成手段２による音圧レベルの増大率は、図２に示すチャンネル信号Ｓの音圧レベルが図３に示すチャンネル信号Ｓ１の音圧レベルとなるような周波数特性となっている。
【００１３】
フィルター４は、チャンネル信号Ｓの中低音域の音圧レベルを低減させるためのもので、ＲＣフィルター、アクティブフィルター、ＬＣフィルター等のハイパスフィルターからなる。フィルター４による音圧レベルの低減率は、図３に示すチャンネル信号Ｓ（Ｓ１、Ｓ２）の音圧レベルが図４に示すチャンネル信号Ｓ（Ｓ１、Ｓ２）の音圧レベルとなるような周波数特性となっており、これは、上記サラウンド信号生成手段２による音圧レベルの増大率の略逆数となる周波数特性となるように設定している。
【００１４】
また、フィルター４の他例として、低域カットオフ・ステップ特性を持つフィルターの構成を図５に示し、図６にその周波数特性（音圧レベルの低減率）を示す。図５中のコンデンサの容量をＣ（Ｆ）、抵抗をＲ１、Ｒ２（Ω）とすると、図６中の低域カットオフ・ステップ特性の周波数ｆ１、ｆ２（Ｈｚ）は、
【００１５】
【数１】
2006237901.tif 000003
【００１６】
【数２】
2006237901.tif 000004
【００１７】
と表される。そして、このものにおいても音圧レベルの低減率は、上記サラウンド信号生成手段２による音圧レベルの増大率の略逆数となる周波数特性となるように設定してあり、図３に示すチャンネル信号Ｓ（Ｓ１、Ｓ２）の音圧レベルが図７に示すチャンネル信号Ｓ（Ｓ１、Ｓ２）の音圧レベルとなる。
【００１８】
サラウンド信号生成手段２とフィルター４は、本実施例ではサラウンド経路５１の音源部１側からこの順に配設されるが、図８に示す他例のようにフィルター４を音源部１側に配設してもよい。
【００１９】
このような音響装置においては、サラウンド効果を得ようとする場合には、スイッチ５３をサラウンド経路５１側に切り替えることで、中低音域の位相が移相されると共に音圧レベルが増大されたチャンネル信号Ｓの中低音域の音圧レベルをフィルター４によって低減することができ、このチャンネル信号Ｓがスピーカ３に入力されてもスピーカ３に過度の負担がかからず、スピーカが破壊したりする惧れがないものである。
【００２０】
また、サラウンド効果が不要な場合には、スイッチ５３をバイパス経路５２側に切り替えることで、サラウンド信号生成手段２を経由しないため音圧レベルが増大されないチャンネル信号Ｓ（図２参照）がスピーカ３に入力されるため、スピーカ３に過度の負担がかからないものである。
【００２１】
また、フィルター４によるチャンネル信号Ｓの中低音域の音圧レベルの低減率をサラウンド信号生成手段２でのチャンネル信号Ｓの中低音域の増大率の略逆数に等しくなるように設定したことで、サラウンド効果を付与する場合でもサラウンド効果を付与しない場合と略同様の音圧レベルとなってスピーカ３に過度の負担がかからないものである。
【図面の簡単な説明】
【００２２】
【図１】本発明の一実施形態の概略構成図である。
【図２】スピーカに入力される際のチャンネル信号の音圧レベルの周波数特性を示す図である。
【図３】サラウンド信号生成手段によってサラウンド信号をのせたチャンネル信号の周波数特性を示す図である。
【図４】フィルターによって中低音域の音圧レベルを低減させたチャンネル信号の音圧レベルを示す図である。
【図５】低域カットオフ・ステップ特性を持つフィルターの構成図である。
【図６】同上の低域カットオフ・ステップ特性を持つフィルターの周波数特性を示す図である。
【図７】同上の低域カットオフ・ステップ特性を持つフィルターによって中低音域の音圧レベルを低減させたチャンネル信号の音圧レベルを示す図である。
【図８】本発明の他例の概略構成図である。
【符号の説明】
【００２３】
２    サラウンド信号生成手段
４    フィルター
５    送信経路
５１  サラウンド経路
５２  バイパス経路
５３  スイッチ
Ｓ    チャンネル信号
Ｓ１  一のチャンネル信号
Ｓ２  他のチャンネル信号
【図１】
2006237901.tif 000005
【図２】
2006237901.tif 000006
【図３】
2006237901.tif 000007
【図４】
2006237901.tif 000008
【図５】
2006237901.tif 000009
【図６】
2006237901.tif 000010
【図７】
2006237901.tif 000011
【図８】
2006237901.tif 000012